(57)【要約】【課題】  冷蔵庫において、卵収納部に収納できる卵の数と同数のセンサ電極を設ける必要があるため、コスト増加の要因となっている。また、卵ケースの下にセンサ電極を設置しているため、下側に溜まり易い水分や汚れ等の影響によって、収納された卵の有無の検出精度が悪くなることがある。【解決手段】  本発明に係る冷蔵庫は、卵収納部、及び卵収納部に収納される卵の在庫情報を導出する制御部を備えた冷蔵庫において、卵収納部は、卵収納部から引き出し可能な卵ケース、卵ケース内に配置されて複数の卵固定孔を有する卵トレイ、卵トレイまでの距離を検出するセンサユニットを含み、センサユニットは、卵収納部の卵ケースを引き出す側の上端部に設置することを特徴としている。【選択図】図２
2014219129.tif 000002
【特許請求の範囲】
【請求項１】
卵収納部、及び該卵収納部に収納される卵の在庫情報を導出する制御部を備えた冷蔵庫において、
前記卵収納部は、前記卵収納部から引き出し可能な卵ケース、該卵ケース内に配置されて複数の卵固定孔を有する卵トレイ、前記卵トレイまでの距離を検出するセンサユニットを含み、
前記センサユニットは、前記卵収納部の前記卵ケースを引き出す側の上端部に設置することを特徴とする冷蔵庫。
【請求項２】
前記制御部はメモリ部を含み、
前記センサユニットは、前記卵ケースを前記卵収納部から出し入れする移動に応じて前記卵トレイまでの距離を測定し、
前記センサユニットの測定結果及び前記メモリ部からの情報に基づいて、卵の在庫情報を導出することを特徴とする請求項１に記載の冷蔵庫。
【請求項３】
前記センサユニットは、少なくとも１つの測距センサ部から構成され、
前記測距センサ部は、発光部及び受光部を有する測距センサ、鏡、並びにケースを含み、
前記ケースは、前記測距センサ及び前記鏡を囲い、開口部を有し、
前記鏡は、前記発光部からの光を前記開口部から出射するように反射し、前記開口部から入射する光を前記受光部で受光するように反射することを特徴とする請求項１または２に記載の冷蔵庫。
【請求項４】
前記卵トレイは、傾斜を有することを特徴とする請求項１から３のいずれかに記載の冷蔵庫。
【請求項５】
前記卵トレイは、前記卵固定孔が複数の列からなり、前記卵固定孔の後方部分に異なる配置パターンとなるように突起を設けることを特徴とする請求項１から４のいずれかに記載の冷蔵庫。
【発明の詳細な説明】
【技術分野】
【０００１】
本発明は、卵収納部を備えた冷蔵庫に関する。
【背景技術】
【０００２】
冷蔵庫は、冷凍室、冷蔵室、及び野菜室を備えたものが普及している。特に、最近の冷蔵庫は、卵収納部を有する冷蔵室を備えている。卵収納部には、複数の卵固定孔を有する卵ホルダーが設けられており、複数の卵を互いに接触させずに収納することができる。
【０００３】
しかし、このような卵収納部に収納された卵の在庫数を確認する場合、卵収納部から卵ホルダーを引き出して、目視で卵の在庫数を数えなければならない。そこで、冷蔵庫の卵の在庫管理を行う技術として、次のものが開示されている。
【０００４】
図１７は、特許文献１に示された卵収納部を側面方向から見た概略断面図である。
【０００５】
卵収納部１０１は、卵ケース１０２、卵ケース蓋１０３及び卵ホルダー１０４を備えている。卵ホルダー１０４には、卵を立てて収納するために複数の卵固定孔が設けられており、その卵固定孔に卵１１１〜１１５が配置されている。
【０００６】
卵ケース１０２の下には、電界センサ１０５が設置されている。電界センサ１０５内には、電極基板シート１０６及びセンサ電極１２１〜１２５が配置されている。このように、電界センサ１０５は、卵ホルダー１０４に収納できる卵の数に応じてセンサ電極をそれぞれ区画して配置しており、卵ホルダー１０４に収納された卵の有無を検出することができる。
【先行技術文献】
【特許文献】
【０００７】
【特許文献１】特開２０１２−４２１７３号公報
【発明の概要】
【発明が解決しようとする課題】
【０００８】
しかしながら、特許文献１に開示された冷蔵庫では、卵収納部に収納できる卵の数と同数のセンサ電極を設ける必要があるため、コスト増加の要因となっている。また、卵ケースの下にセンサ電極を設置しているため、下側に溜まり易い水分や汚れ等の影響によって、収納された卵の有無の検出精度が悪くなることがある。
【０００９】
本発明は、上記の問題に鑑みてなされたものであり、その目的は、コストを削減しながら、卵の在庫管理を正確に行うことができる冷蔵庫を提供することにある。
【課題を解決するための手段】
【００１０】
本発明に係る冷蔵庫は、卵収納部、及び卵収納部に収納される卵の在庫情報を導出する制御部を備えた冷蔵庫において、卵収納部は、卵収納部から引き出し可能な卵ケース、卵ケース内に配置されて複数の卵固定孔を有する卵トレイ、卵トレイまでの距離を検出するセンサユニットを含み、センサユニットは、卵収納部の卵ケースを引き出す側の上端部に設置することを特徴としている。
【００１１】
本発明の一実施態様においては、制御部はメモリ部を含み、センサユニットは、卵ケースを卵収納部から出し入れする移動に応じて卵トレイまでの距離を測定し、センサユニットの測定結果及びメモリ部からの情報に基づいて、卵の在庫情報を導出しても良い。
【００１２】
本発明の一実施態様においては、センサユニットは、少なくとも１つの測距センサ部から構成され、測距センサ部は、発光部及び受光部を有する測距センサ、鏡、並びにケースを含み、ケースは、測距センサ及び鏡を囲い、開口部を有し、鏡は、発光部からの光を開口部から出射するように反射し、開口部から入射する光を受光部で受光するように反射しても良い。
【００１３】
本発明の一実施態様においては、卵トレイは、傾斜を有しても良い。
【００１４】
本発明の一実施態様においては、卵トレイは、卵固定孔が複数の列からなり、卵固定孔の後方部分に異なる配置パターンとなるように突起を設けても良い。
【発明の効果】
【００１５】
本発明に係る冷蔵庫は、コストを削減しながら、卵の在庫管理を正確に行うことができる。
【図面の簡単な説明】
【００１６】
【図１】第１の実施形態の冷蔵庫を示す概略正面図である。
【図２】第１の実施形態の卵収納部を示す概略斜視図である。
【図３】第１の実施形態のセンサユニット及びその周辺部を示す概略模式図である。
【図４】第１の実施形態のセンサユニットの構成を示す概略模式図である。
【図５】第１の実施形態の卵の在庫情報の導出を説明するためのフローチャートである。
【図６】第１の実施形態の卵トレイ上の卵数を減少させた事例を示す図である。
【図７】第１の実施形態の卵トレイ上の卵数を増加させた事例を示す図である。
【図８】第２の実施形態のセンサユニットの構成を示す概略模式図である。
【図９】第３の実施形態のセンサユニット及びその周辺部を示す概略模式図である。
【図１０】第３の実施形態の卵の在庫情報の導出を説明するためのフローチャートである。
【図１１】第３の実施形態の卵トレイ上の卵数を減少させた事例を示す図である。
【図１２】図１１における卵ケースを引き出して小刻みに往復させた事例を示す図である。
【図１３】第４の実施形態のセンサユニット及びその周辺部を示す概略模式図である。
【図１４】第４の実施形態の卵の在庫情報の導出を説明するためのフローチャートである。
【図１５】第４の実施形態の卵トレイ上の卵数を増加させた事例を示す図である。
【図１６】図１５における卵ケースを引き出して小刻みに往復させた事例を示す図である。
【図１７】従来技術の卵収納部を側面方向から見た概略断面図である。
【発明を実施するための形態】
【００１７】
〔実施形態１〕
第１の実施形態に係る冷蔵庫について、図面を参照して説明すれば、以下の通りである。
【００１８】
図１は、本実施形態に用いられる冷蔵庫１を示す概略正面図である。
【００１９】
冷蔵庫１の上側には、貯蔵物が冷蔵保存される冷蔵室２を備えている。冷蔵室２は、製氷用の水タンクを収納するタンク室、冷蔵室２の上側よりも低温に維持されるチルド室、及び卵収納部６を有する。
【００２０】
冷蔵室２の下方には、冷凍室３及び製氷室５を備えている。製氷室５は、冷蔵室２に設けられた水タンクから給水して製氷を行い貯氷する。
【００２１】
冷凍室３は、上室及び下室を有し、貯蔵物を冷凍保存する。尚、冷凍室３の上室及び製氷室５は、左右に並設されている。
【００２２】
冷凍室３の下方には野菜室４を備えている。野菜室４は、冷蔵室２よりも高温で野菜や果物の冷蔵保存に適した温度に維持されている。
【００２３】
冷凍室３及び製氷室５の背後の冷気通路には冷却器が配置されており、圧縮機に接続することによって、冷気通路内の空気と熱交換して冷気を生成する。その冷気は、冷気通路を流通した後、冷蔵室２内に流入する。そして、冷蔵室２内の食品等と熱交換して冷熱を奪われた後、冷蔵室２から流出される冷気は、連結通路を介して野菜室４内に流入する。その結果、野菜室４は冷蔵室２よりも高温となる。例えば、冷蔵室２内は３℃に冷却され、野菜室４内は５℃に冷却される。この一連の冷凍サイクルの運転制御は、図示しない制御部によって行われている。
【００２４】
図２は、本実施形態に用いられる卵収納部６を示す概略斜視図である。
【００２５】
卵収納部６には、卵ケース７及び卵トレイ８が設置されている。卵ケース７は、前面側に把手７ａを有しており、把手７ａを用いて卵収納部６から引き出し可能となっている。また、卵ケース７の前面には、卵の管理状態を示す表示部１０が取り付けられている。卵トレイ８は、卵ケース７内に配置され、卵を立てて収納するために複数の卵固定孔９を有している。尚、卵固定孔９は、卵ケース７の前面側から見て２つの列に並んでいる。
【００２６】
また、卵収納部６には、卵ケース７を引き出す側の上端部に対向する天井面にセンサユニット１１が設置されている。センサユニット１１は、下方に位置する卵トレイ８までの距離を測定する。尚、引き出し側の上端部とは、卵ケース７が収納位置にある状態において、前面側から１番目にある卵固定孔９の上側の位置、又はその位置よりも前側の位置であることを示している。
【００２７】
さらに、図示しないが、卵収納部６には卵ケース７の引き出し及び収納を感知するセンサが設置されている。
【００２８】
図３は、本実施形態に用いられるセンサユニット１１及びその周辺部を示す概略模式図である。
【００２９】
センサユニット１１は、第１測距センサ部１１ａ及び第２測距センサ部１１ｂを有している。第１測距センサ部１１ａ及び第２測距センサ部１１ｂは、卵固定孔９が並んでいる２つの列に対して、卵トレイ８までの距離を測定する。第１測距センサ部１１ａが測定する列を第１列、及び第２測距センサ部１１ｂが測定する列を第２列とする。具体的には、卵ケース７が卵収納部６から引き出されるときに、第１列及び第２列のそれぞれの測定ポイントの移動に応じて、第１測距センサ部１１ａ及び第２測距センサ部１１ｂは卵トレイ８までの距離を測定している。
【００３０】
制御部１２は、センサユニット１１の動作制御、卵の在庫情報の導出、及び表示部１０の動作制御等を行っている。
【００３１】
表示部１０は、制御部１２で行われた卵の在庫情報の導出結果を表示する。例えば、卵の在庫情報を導出した日時、卵の在庫数、及び各列の在庫状況を表示する。
【００３２】
図４は、本実施形態に用いられるセンサユニット１１の構成を示す概略模式図である。
【００３３】
第１測距センサ部１１ａは、第１測距センサ１３ａ、第１鏡１６ａ及び第１ケース１７ａを含んでいる。第１測距センサ１３ａは、第１発光部１４ａ及び第１受光部１５ａを有している。第１発光部１４ａからの光が第１鏡１６ａで反射して卵トレイ８の方へ進み、卵又は卵トレイ８で反射した光を第１鏡１６ａで反射して第１受光部１５ａで受光している。第１ケース１７ａは、第１測距センサ１３ａ及び第１鏡１６ａを囲い、光が出入する部分のみを開口部としている。また、第１ケース１７ａの内側を黒く塗ることにより、第１測距センサ部１１ａ内に外部から光が侵入すること、及び第１ケース１７ａで乱反射した光を第１受光部１５ａで受光することを防ぐことができる。
【００３４】
同様に、第２測距センサ部１１ｂは、第２測距センサ１３ｂ、第２鏡１６ｂ及び第２ケース１７ｂを含んでいる。第２測距センサ１３ｂは、第２発光部１４ｂ及び第２受光部１５ｂを有している。第２発光部１４ｂからの光が第２鏡１６ｂで反射して卵トレイ８の方へ進み、卵又は卵トレイ８で反射された光を第２鏡１６ｂで反射して第２受光部１５ｂで受光している。第２ケース１７ｂは、第２測距センサ１３ｂ及び第２鏡１６ｂを囲い、光が出入する部分のみを開口部としている。また、第２ケース１７ｂの内側を黒く塗っており、第２測距センサ部１１ｂ内に外部から光が侵入すること、及び第２ケース１７ｂで乱反射した光を第２受光部１５ｂで受光することを防ぐことができる。
【００３５】
第１測距センサ部１１ａ及び第２測距センサ部１１ｂは、卵トレイ８に対する垂直方向の距離を測定する。通常の測距センサの最短測定距離は４ｃｍであるため、発光してから受光するまでの光路を４ｃｍ以上にする必要がある。しかしながら、第１測距センサ部１１ａ及び第２測距センサ部１１ｂが垂直方向に高くなることは、卵収納部６の大型化に繋がるので好ましくない。本実施形態では、第１鏡１６ａ及び第２鏡１６ｂを用いることによって、第１測距センサ部１１ａ及び第２測距センサ部１１ｂが垂直方向に高くなることを防ぎながら、発光から受光までの光路を長くすることができる。
【００３６】
図５は、本実施形態における卵の在庫情報の導出を説明するためのフローチャートである。
【００３７】
Ｓ０ステップでは、図２に示す卵ケース７が卵収納部６から引き出されるときに、図３に示す制御部１２から動作信号がセンサユニット１１へ出力され、センサユニット１１の動作が開始する。尚、卵ケース７の引き出し及び収納を感知するセンサからの感知情報に基づいて、制御部１２において動作信号がＯＮレベルとなる。
【００３８】
Ｓ１ステップでは、Ｓ０ステップでセンサユニット１１の動作が開始した後、卵トレイ８の第１列及び第２列のそれぞれの測定ポイントの移動に応じて、第１測距センサ部１１ａ及び第２測距センサ部１１ｂが卵トレイ８までの距離の測定を行う。そして、第１測距センサ部１１ａ及び第２測距センサ部１１ｂは、測定結果に基づく出力信号を制御部１２へ出力する。尚、センサユニット１１の動作は、図２に示す卵ケース７が卵収納部６から引き出されて収納位置に戻されるまで続けられる。卵ケース７が卵収納部６の収納位置に戻されたときに、制御部１２において動作信号がＯＦＦレベルとなる。
【００３９】
Ｓ２ステップでは、制御部１２において、第１測距センサ部１１ａ及び第２測距センサ部１１ｂの測定結果から、卵ケース７が最後まで引き出されたか否かの確認を行う。卵トレイ８の第１列及び第２列は、卵固定孔９の数がそれぞれ５個ずつである。そのため、卵収納部６から卵ケース７を全部引き出してから収納位置に戻す場合には、第１測距センサ部１１ａ及び第２測距センサ部１１ｂのそれぞれが卵固定孔９の１０個分を測定することになる。卵がある場合は、測定結果が高レベル、無い場合は低レベルとなる。制御部１２では、高レベル及び低レベルを足し合わせた数Ｎが１０個に等しいかどうかを確認している。そして、Ｎ＝１０である、すなわちＹＥＳの場合はＳ３ステップに移行し、Ｎ＝１０ではない、すなわちＮＯの場合はＳ４ステップに移行する。
【００４０】
Ｓ３ステップでは、制御部１２において、第１測距センサ部１１ａ及び第２測距センサ部１１ｂの測定結果より卵の在庫情報を導き出す。第１測距センサ部１１ａ及び第２測距センサ部１１ｂは、卵ケース７を全部引き出すことによって、その測定結果に高レベル又は低レベルが１０個ずつ測定される。第１測距センサ部１１ａ及び第２測距センサ部１１ｂの測定結果のそれぞれにおいて、後半である６〜１０番目の５個分が卵の在庫情報として抽出され、高レベルであれば卵が有り、低レベルであれば卵が無しと認識される。そして、高レベルを足し合わせた数が卵の在庫数となる。また、卵固定孔９を卵トレイ８の前面側から順番に１〜５番目とすると、各列の卵固定孔９の１〜５番目の在庫状況は、測定結果の１０〜６番目が該当する。
【００４１】
Ｓ４ステップでは、卵ケース７を全部は引き出さなかった場合の在庫情報を求める。制御部１２において、第１測距センサ部１１ａ及び第２測距センサ部１１ｂの測定結果に、メモリ情報を追加して卵の在庫情報を導き出す。図３に示す制御部１２内には、図示しないメモリ部が設けられ、前回の導出結果が記録されている。第１測距センサ部１１ａ及び第２測距センサ部１１ｂの測定結果のそれぞれにおいて、後半であるＮ／２＋１〜Ｎ番目のＮ／２個分が卵の在庫情報として抽出される。また、残りの５−Ｎ／２個分は、前回の導出結果から変更していないと推測される。従って、残りの５−Ｎ／２個分は、メモリ情報から前回の導出結果のＮ／２＋１〜５番目が読み出されて在庫情報として抽出される。
【００４２】
Ｓ５ステップでは、制御装置１２内のメモリ部において、Ｓ３ステップ又はＳ４ステップの導出結果が記録される。
【００４３】
Ｓ６ステップでは、Ｓ５ステップに記録される導出結果に基づいて、在庫情報が表示される。卵の在庫情報を導出した日時、卵の在庫数、及び各列の在庫状況等を表示する。
【００４４】
次に、図５の各ステップの動作を詳細に説明する。
【００４５】
まず、Ｓ１ステップである、第１測距センサ部１１ａ及び第２測距センサ部１１ｂによる卵トレイ８までの距離の測定について説明する。
【００４６】
図６は、本実施形態に用いられる卵トレイ８上の卵数を減少させた事例を示す図である。図６（ａ）は、卵ケース７が卵収納部６から引き出されたときに、ユーザーが卵トレイ８上から２個の卵を取り出して、卵数が６個から４個に減少する事例を示している。また、図６（ｂ）は、図６（ａ）における卵ケース７を全部引き出したときの第１測距センサ部１１ａの出力信号波形を示している。出力信号波形は、卵トレイ８において、卵固定孔９ではない箇所を測定した場合には中間レベルとなっており、卵固定孔９の箇所を測定した場合には高レベル又は低レベルとなっている。卵固定孔９に卵が配置されている場合には高レベルとなり、卵固定孔９に卵が配置されていない場合には低レベルとなる。中間レベルを「中」、高レベルを「高」、低レベルを「低」と表すことにする。第１測距センサ部１１ａの出力信号波形は、卵収納部６から卵ケース７を全部引き出してから収納位置に戻すまでを時系列的に見ると、中、高、中、高、中、高、中、低、中、低、中、低、中、低、中、高、中、高、中、低、中となる。尚、第２測距センサ部１１ｂの出力信号波形は図示していないが、第１測距センサ部１１ａの出力信号波形と同様に卵の在庫状況によって、高、低、中のレベルが測定される。本実施例では第１測距センサと同じ波形となる。以降、第２測距センサ部１１ｂの結果については、説明を省略する。さらに、図６（ｃ）は、図６（ａ）における卵ケース７を途中まで引き出したときの第１測距センサ部１１ａの出力信号波形を示している。第１測距センサ部１１ａの出力信号波形は、卵収納部６から卵ケース７を途中まで引き出して収納位置に戻すまでを時系列的に見ると、中、高、中、高、中、高、中、低、中、低、中、高、中、高、中、低、中となる。
【００４７】
図７は、本実施形態に用いられる卵トレイ８上の卵数を増加させた事例を示す図である。図７（ａ）は、卵ケース７が卵収納部６から引き出されたときに、ユーザーが卵トレイ８上に２個の卵を追加して、卵数が６個から８個に増加する事例を示している。また、図７（ｂ）は、図７（ａ）における卵ケース７を全部引き出したときの第１測距センサ部１１ａの出力信号波形を示している。第１測距センサ部１１ａの出力信号波形は、卵収納部６から卵ケース７を全部引き出してから収納位置に戻すまでを時系列的に見ると、中、高、中、高、中、高、中、低、中、低、中、低、中、高、中、高、中、高、中、高、中となる。さらに、図７（ｃ）は、図７（ａ）における卵ケース７を途中まで引き出したときの第１測距センサ部１１ａの出力信号波形を示している。第１測距センサ部１１ａの出力信号波形は、卵収納部６から卵ケース７を途中まで引き出して収納位置に戻すまでを時系列的に見ると、中、高、中、高、中、高、中、低、中、高、中、高、中、高、中、高、中となる。
【００４８】
次に、Ｓ２ステップである、卵ケース７が最後まで引き出されたか否かの確認について説明する。卵トレイ８には一つの列に卵固定孔９が５個ある。従って、測距センサ部の出力信号波形で高レベル又は低レベルが１０個あれば、卵収納部６から卵ケース７が全部引き出されて戻されたことになる。
【００４９】
図６（ｂ）では、第１測距センサ部１１ａが高レベル５個及び低レベル５個を測定している。Ｎ＝５＋５＝１０となり、制御部１２において、卵収納部６から卵ケース７が全部引き出されていることが認識され、Ｓ３ステップに移行する。一方、図６（ｃ）では、第１測距センサ部１１ａが高レベル５個及び低レベル３個を測定している。Ｎ＝５＋３＝８となり、制御部１２において、卵収納部６から卵ケース７が途中の卵固定孔９の８／２＝４個分まで引き出されていることが認識され、Ｓ４ステップに移行する。
【００５０】
同様に、図７（ｂ）では、第１測距センサ部１１ａが高レベル７個及び低レベル３個を測定している。Ｎ＝７＋３＝１０となり、制御部１２において、卵収納部６から卵ケース７が全部引き出されていることが認識され、Ｓ３ステップに移行する。一方、図７（ｃ）では、第１測距センサ部１１ａが高レベル７個及び低レベル１個を測定している。Ｎ＝７＋１＝８となり、制御部１２において、卵収納部６から卵ケース７が途中の卵固定孔９の８／２＝４個分まで引き出されていることが認識され、Ｓ４ステップに移行する。
【００５１】
さらに、Ｓ３ステップである、卵ケース７が全部引き出された場合の、卵の在庫情報を導き出すことについて説明する。この場合の卵の在庫状況は、測距センサ部の出力信号波形の後半の５個の高レベル又は低レベルの測定結果から認定できる。
【００５２】
図６（ｂ）では、第１測距センサ部１１ａの出力信号波形において、第１測距センサ部１１ａの測定結果の後半である６〜１０番目を時系列的に見ると、低、低、高、高、低となっている。図６の例の場合、第２測距センサ部１１ｂの測定結果の後半である６〜１０番目も同様に、低、低、高、高、低となる。そして、高レベルを足し合わせると４個となり、卵の在庫数は４個であることが導出される。また、卵が有りを「○」、卵が無しを「×」とすると、第１列の１〜５番目の在庫状況は、×、○、○、×、×、第２列の１〜５番目の在庫状況は、×、○、○、×、×であることが導出される。
【００５３】
同様に、図７（ｂ）では、第１測距センサ部１１ａの出力信号波形において、第１測距センサ部１１ａの後半である６〜１０番目を時系列的に見ると、低、高、高、高、高となっている。第２測距センサ部１１ｂの後半である６〜１０番目も同様に、低、高、高、高、高となる。そして、高レベルを足し合わせると８個となり、卵の在庫数は８個であることが導出される。また、第１列の１〜５番目の在庫状況は、○、○、○、○、×、第２列の１〜５番目の在庫状況は、○、○、○、○、×であることが導出される。
【００５４】
さらに、Ｓ４ステップである、卵ケース７を途中まで引き出して戻した場合の、メモリ情報を追加して卵の在庫情報を導き出すことについて説明する。この場合の卵の在庫状況は、測距センサ部の出力信号波形の後半の半分の高レベル又は低レベルの測定結果から認定できる。
【００５５】
図６（ｃ）では、第１測距センサ部１１ａの出力信号波形において、第１測距センサ部１１ａの後半である５〜８番目を時系列的に見ると、低、高、高、低となっている。また、また、卵ケース７を引き出す前の５番目の卵固定孔の在庫状況が卵無しなので、前回の導出結果の５番目は低である。第２測距センサ部１１ｂの後半である５〜８番目も同様に、低、高、高、低となり、前回の導出結果の５番目は低である。そして、高レベルを足し合わせると４個となり、卵の在庫数は４個であることが導出される。また、第１列の１〜５番目の在庫状況は、×、○、○、×、×、第２列の１〜５番目の在庫状況は、×、○、○、×、×であることが導出される。
【００５６】
図７（ｃ）では、第１測距センサ部１１ａの出力信号波形において、第１測距センサ部１１ａの後半である５〜８番目を時系列的に見ると、高、高、高、高となっている。また、前回の導出結果の５番目が低である。第２測距センサ部１１ｂの後半である５〜８番目も同様に、高、高、高、高となる。また、前回の導出結果の５番目は低である。そして、高レベルを足し合わせると８個となり、卵の在庫数は８個であることが導出される。また、第１列の１〜５番目の在庫状況は、○、○、○、○、×、第２列の１〜５番目の在庫状況は、○、○、○、○、×であることが導出される。
【００５７】
さらに、Ｓ５ステップである、導出結果を記録することについて説明する。
【００５８】
図６（ａ）の場合には、卵の在庫数は４個、第１列の１〜５番目の在庫状況は、×、○、○、×、×、第２列の１〜５番目の在庫状況は、×、○、○、×、×であることが記録される。
【００５９】
図７（ａ）の場合には、卵の在庫数は８個、第１列の１〜５番目の在庫状況は、○、○、○、○、×、第２列の１〜５番目の在庫状況は、○、○、○、○、×であることが記録される。
【００６０】
尚、本実施形態では、卵ケース７を途中まで引き出したときの第１測距センサ部１１ａ及び第２測距センサ部１１ｂの出力信号波形として、高レベル及び低レベルを足し合わせた数Ｎが８個の場合を例に挙げているが、それに限定されない。Ｎが２、４及び６個等の他の個数の場合でも同様に在庫情報を導出することができる。
【００６１】
また、本実施形態では、卵トレイ８の卵固定孔９の数が１０個の場合を例に挙げているが、それに限定されない。
【００６２】
さらに、本実施形態では、卵トレイ８上において、複数の卵固定孔９が第１列及び第２列の２列から構成されているが、それに限定されない。１列でも良いし、３列以上であっても良い。構成される列の数に合わせて、測距センサ部を設ければ良い。
【００６３】
さらに、測距センサ部は、光の反射を用いて測定することに限定する必要はなく、他の形態であっても良い。例えば、超音波の反射等、距離を測定できるものを使用することができる。
【００６４】
さらに、本実施形態では、卵収納部６が冷蔵室２内に設けられているが、それに限定されない。例えば、冷蔵室２とは独立して設けても良い。
【００６５】
さらに、本実施形態では、卵ケース７及び卵トレイ８を別々の部品として形成しているが、それに限定されない。卵ケース及び卵トレイを一体的に形成しても良い。
【００６６】
〔実施形態２〕
第２の実施形態に係る冷蔵庫について、図面を参照して説明すれば、以下の通りである。本実施形態は、センサユニット１１を１個の測距センサ部で構成している点が第１の実施形態とは異なる。本実施形態では、第１の実施形態と異なる部分を中心に説明を行う。
【００６７】
図８は、本実施形態に用いられるセンサユニット１１の構成を示す概略模式図である。
【００６８】
センサユニット１１は、第３測距センサ部１１ｃから構成されている。第３測距センサ部１１ｃは、複数の卵固定孔９が並んでいる２つの列に対して、卵トレイ８までの距離を測定する。
【００６９】
第３測距センサ部１１ｃは、第３測距センサ１３ｃ、第３鏡１６ｃ及び第３ケース１７ｃを含んでいる。第３測距センサ１３ｃは、第３発光部１４ｃ、第４発光部１４ｄ及び第３受光部１５ｃを有している。第３発光部１４ｃは第１列に向けて発光し、第４発光部１４ｄは第２列に向けて発光するが、第３発光部１４ｃ及び第４発光部１４ｄは交互に切り替えて発光する。そして、第３発光部１４ｃからの光が第３鏡１６ｃで反射して卵トレイ８の方へ進み、卵又は卵トレイ８で反射した光が第３鏡１６ｃで反射して第３受光部１５ｃで受光する。また、第４発光部１４ｄからの光が第３鏡１６ｃで反射して卵トレイ８の方へ進み、卵又は卵トレイ８で反射した光を第３鏡１６ｃで反射して第３受光部１５ｃで受光する。第３ケース１７ｃは、第３測距センサ１３ｃ及び第３鏡１６ｃを囲い、光が出入する部分のみを開口部としている。また、第３ケース１７ｃの内側を黒く塗っており、第３測距センサ部１１ｃ内に外部から光が侵入すること、及び第３ケース１７ｃで乱反射した光を第３受光部１５ｃで受光することを防ぐことができる。第４発光部１４ｄからの光も同様である。本実施形態では、１個の測距センサ部で構成されているため、第１の実施形態よりも小型化を実現することが可能となる。
【００７０】
第３測距センサ部１１ｃは、卵トレイ８に対する垂直方向の距離を測定する。通常の測距センサの最短測定距離は４ｃｍであるため、発光してから受光するまでの光路を４ｃｍ以上にする必要がある。しかしながら、第３測距センサ部１１ｃが垂直方向に高くなることは、卵収納部６の大型化に繋がるので好ましくない。本実施形態では、第３鏡１６ｃを用いることによって、第３測距センサ部１１ｃが垂直方向に高くなることを防ぎながら、発光から受光までの光路を長くすることができる。
【００７１】
尚、本実施形態では、卵トレイ８において、複数の卵固定孔９が第１列及び第２列の２列から構成されることを想定しているため、発光部を２個、受光部を１個としているが、卵固定孔９の列の数に応じて発光部の数を変更することができる。例えば、３列から構成される場合には、発光部を３個、受光部を１個とすれば良い。
【００７２】
〔実施形態３〕
第３の実施形態に係る冷蔵庫について、図面を参照して説明すれば、以下の通りである。本実施形態は、卵トレイ８ａにおいて、ある一定の角度の傾斜を有している点が第１の実施形態とは異なる。本実施形態では、第１の実施形態と異なる部分を中心に説明を行う。
【００７３】
図９は、本実施形態に用いられるセンサユニット１１及びその周辺部を示す概略模式図である。卵収納部６から卵ケース７を引き出して収納位置に戻すまでに、小刻みに往復させる場合には、卵トレイ８ａ上の測定ポイントの特定が困難になる。そこで、卵トレイ８ａに角度αの傾斜を設けることにより、卵トレイ８ａ上のそれぞれの測定ポイントの高さが異なるため、小刻みに往復させる場合でも測定ポイントの特定が可能となる。
【００７４】
図１０は、本実施形態における卵の在庫情報の導出を説明するためのフローチャートである。Ｓ２１の検出結果の確認の方法が図５のＳ２と異なる。図１０の各ステップの動作を詳細に説明する。尚、Ｓ０、Ｓ５及びＳ６ステップは実施形態１と同じなので説明を省略する。
【００７５】
まず、Ｓ１ステップである、第１測距センサ部１１ａ及び第２測距センサ部１１ｂによる卵トレイ８ａまでの距離の測定について説明する。Ｓ１での測定方法自体は、実施例１と同じであるが、卵トレイ８ａが傾斜して設けられているため、結果の出力信号波形が異なる。
【００７６】
図１１は、本実施形態に用いられる卵トレイ８ａ上の卵数を減少させた事例を示す図である。図１１（ａ）は、卵ケース７が卵収納部６から引き出されたときに、ユーザーが卵トレイ８ａ上から２個の卵を取り出して、卵数が６個から４個に減少する事例を示している。また、図１１（ｂ）は、図１１（ａ）における卵ケース７を全部引き出したときの第１測距センサ部１１ａの出力信号波形を示している。卵トレイ８ａにおいて、１番目となる卵固定孔９ａの前方部分の位置をａ０とし、複数の卵固定孔９ａの後方部分の位置を前面側から順番にａ１〜ａ５とする。卵トレイ８ａはａ０〜ａ５に応じて高さが異なっており、それぞれのレベルを「Ａ０」、「Ａ１」、「Ａ２」、「Ａ３」、「Ａ４」及び「Ａ５」と表すことにする。第１測距センサ部１１ａの出力信号波形は、卵収納部６から卵ケース７を全部引き出してから収納位置に戻すまでを時系列的に見ると、Ａ０、高、Ａ１、高、Ａ２、高、Ａ３、低、Ａ４、低、Ａ５、低、Ａ４、低、Ａ３、高、Ａ２、高、Ａ１、低、Ａ０となる。
【００７７】
図１２は、図１１における卵ケース７を引き出して小刻みに往復させた事例を示す図である。図１２（ａ）は、第１測距センサ部１１ａ及び第２測距センサ部１１ｂで測定する箇所を矢印で表している。つまり、卵トレイ８ａをａ３まで引き出し、ａ２まで戻し、再度ａ３まで引き出した後、収納位置に戻している。尚、前面側から見て１番目に位置する卵を点線で表している。これは、卵トレイ８ａを引き出す前は卵が配置されていたが、卵トレイ８ａを収納位置に戻すときには卵が取り出されて配置されていないことを示している。また、図１２（ｂ）は、図１２（ａ）における第１測距センサ部１１ａの出力信号波形を示している。第１測距センサ部１１ａの出力信号波形は、卵収納部６から卵ケース７を途中まで引き出して収納位置に戻すまでを時系列的に見ると、Ａ０、高、Ａ１、高、Ａ２、高、Ａ３、高、Ａ２、高、Ａ３、高、Ａ２、高、Ａ１、低、Ａ０となる。
【００７８】
次に、Ｓ２１ステップである、卵ケース７が最後まで引き出されたか否かの確認について説明する。卵トレイ８ａの一番奥の卵固定孔９ａの後方のレベルはＡ５になるので、Ａ５が検出された場合、卵ケース７は最後まで引き出されて戻されたことになる。卵トレイ８ａが途中までしか引き出されていない場合は、Ａ１からＡ４のどのレベルが測定されているかによって、どこまで引き出したかを認識できる。
【００７９】
図１１（ｂ）では、第１測距センサ部１１ａが中間レベルとしてＡ５レベルを測定している。制御部１２において、卵収納部６から卵ケース７が全部引き出されていることが認識され、Ｓ３ステップに移行する。
【００８０】
図１２（ｂ）では、第１測距センサ部１１ａが中間レベルとしてＡ５レベルを測定していない。制御部１２において、測定された中で最も後側の位置となる中間レベルがａ３に対応するＡ３レベルであり、卵収納部６から卵ケース７が卵固定孔９ａの３個分まで引き出されていることが認識され、Ｓ４ステップに移行する。
【００８１】
さらに、Ｓ３ステップである、卵ケース７が全部引き出された場合の、卵の在庫情報を導き出すことについて説明する。一つの列の１〜５番目の卵固定孔９ａの在庫状況は、それぞれ、Ａ０とＡ１の間、Ａ１とＡ２の間、Ａ２とＡ３の間、Ａ３とＡ４の間、Ａ４とＡ５の間が高レベル又は低レベルであるかによって認識できる。
【００８２】
図１１（ｂ）では、第１測距センサ部１１ａの出力信号波形において、時系列的に見た後半部分の情報が在庫情報となる。出力信号波形の後半部分の、Ａ０とＡ１の間、Ａ１とＡ２の間、Ａ２とＡ３の間、Ａ３とＡ４の間、Ａ４とＡ５の間を見ると、低、高、高、低、低となっている。第２測距センサ部１１ｂも同様の結果が得られる。そして、第１測距センサ部１１ａと第２測距センサ部１１ｂの出力信号波形の高レベルを足し合わせると４個となり、卵の在庫数は４個であることが導出される。また、第１列及び第２列の１〜５番目の在庫情報は、それぞれ、出力信号波形の後半部分の、Ａ０とＡ１の間、Ａ１とＡ２の間、Ａ２とＡ３の間、Ａ３とＡ４の間、Ａ４とＡ５の間の情報である。従って、在庫状況は、第１列及び第２列共に×、○、○、×、×であることが導出される。
【００８３】
さらに、Ｓ４ステップである、卵ケース７を途中まで引き出して戻した場合の、メモリ情報を追加して卵の在庫情報を導き出すことについて説明する。この場合、各レベル間のの測定結果が複数測定されるが、最後に測定された結果が在庫情報となる。
【００８４】
図１２（ｂ）では、第１測距センサ部１１ａの出力信号波形において、第１測距センサ部１１ａの測定結果として、Ａ０とＡ１の間、Ａ１とＡ２の間、Ａ２とＡ３の間を見ると、低、高、高となっている。尚、Ａ２とＡ３の間の測定結果が４回測定されるが、時系列に見て一番遅い測定結果を在庫情報として抽出する。Ａ０とＡ１の間、Ａ１とＡ２の間も同様に、時系列に見て一番遅い測定結果を在庫情報として抽出している。また、前回の導出結果の４番目は低、及び５番目は低である。第２測距センサ部１１ｂの出力信号波形においても同様の結果が得られる。さらに、第２測距センサ部１１ｂによる前回の導出結果の４番目は低、及び５番目は低である。そして、高レベルを足し合わせると４個となり、卵の在庫数は４個であることが導出される。さらに、第１列及び第２列の１〜５番目の在庫状況は、それぞれ、Ａ０とＡ１の間、Ａ１とＡ２の間、Ａ２とＡ３の間の情報、並びに前回の導出結果の４番目及び５番目の情報である。従って、×、○、○、×、×であることが導出される。
【００８５】
尚、本実施形態では、卵トレイ８ａが前面側から後面側に向って高さが高くなっているが、それに限定されない。前面側から後面側に向って高さが低くなっても良い。但し、前面側から後面側に向かって高さが高くなっている方が、卵を取り出し易くなる。
【００８６】
また、卵トレイ８ａは、トレイの厚さが一定であるものに限定する必要はなく、ある一定の角度の傾斜を有するように厚さが変化していくものであっても良い。この場合でも、卵トレイ８ａはある一定の角度の傾斜を有することになる。
【００８７】
〔実施形態４〕
第４の実施形態に係る冷蔵庫について、図面を参照して説明すれば、以下の通りである。本実施形態は、卵トレイ８ｂ上において、複数の卵固定孔９ｂの後方部分に第１突起１８又は第２突起１９を設けている点が第１の実施形態とは異なる。本実施形態では、第１の実施形態と異なる部分を中心に説明を行う。
【００８８】
図１３は、本実施形態に用いられるセンサユニット１１及びその周辺部を示す概略模式図である。卵収納部６から卵ケース７を引き出して収納位置に戻すまでに、小刻みに往復させる場合には、卵トレイ８ｂ上の測定ポイントの特定が困難になる。そこで、複数の卵固定孔９ｂの後方部分、及び前面側から１番目にある卵固定孔９ｂの前方部分において、それぞれが異なる配置パターンとなるように第１突起１８又は第２突起１９を設けることにより、小刻みに往復させる場合でも測定ポイントの特定が可能となる。尚、第２突起１９は第１突起１８よりも高さが高くなっている。そして、第１突起は、第１列の２番目及び４番目、並びに第２列の３番目及び４番目の卵固定孔９ｂの後方部分に設けられている。また、第２突起は、第１列の５番目、及び第２列の１番目の卵固定孔９ｂの後方部分に設けられている。
【００８９】
ここで、異なる配置パターンについて説明する。本実施形態では、センサユニット１１が前面側から１番目にある卵固定孔９ｂの上側より前側の位置にある場合を前提としている。前面側から１〜５番目にある卵固定孔９ｂの後方部分、及び前面側から１番目にある卵固定孔９ｂの前方部分の６箇所のそれぞれについて、第１列及び第２列の突起の配置状態を１つの配置パターンとする。突起の配置状態としては、第１突起１８が有る状態、第２突起１９が有る状態、第１突起１８及び第２突起１９が無い状態の３つの状態がある。第１列及び第２列のそれぞれで３つの状態があるため、配置パターンとしては、９つの異なる配置パターンが考えられる。そして、前面側から１〜５番目にある卵固定孔９ｂの後方部分、及び前面側から１番目にある卵固定孔９ｂの前方部分の６箇所のそれぞれにおいて、９つの異なる配置パターンから１つずつ選択して、全て異なる配置パターンとなるように設定している。尚、センサユニット１１が前面側から１番目にある卵固定孔９ｂの上側の位置にある場合には、前面側から１〜５番目にある卵固定孔９ｂの後方部分の５箇所のそれぞれにおいて、異なる配置パターンとなるように設定すれば良い。
【００９０】
図１４は、本実施形態における卵の在庫情報の導出を説明するためのフローチャートである。Ｓ２２の検出結果の確認の方法が図５のＳ２と異なる。図１４の各ステップの動作を詳細に説明する。尚、Ｓ０、Ｓ５及びＳ６ステップは実施形態１と同じなので説明を省略する。
【００９１】
まず、Ｓ１ステップである、第１測距センサ部１１ａ及び第２測距センサ部１１ｂによる卵トレイ８ｂまでの距離の測定について説明する。Ｓ１での測定方法自体は、実施例１と同じであるが、前面側から１〜５番目にある卵固定孔９ｂの後方部分、及び前面側から１番目にある卵固定孔９ｂの前方部分の６箇所のそれぞれにおいて、異なる配置パターンとなるように設定されているため、結果の出力信号波形が異なる。
【００９２】
図１５は、本実施形態に用いられる卵トレイ８ｂ上の卵数を増加させた事例を示す図である。図１５（ａ）は、卵ケース７が卵収納部６から引き出されたときに、ユーザーが卵トレイ８ｂ上に２個の卵を追加して、卵数が６個から８個に増加する事例を示している。また、図１５（ｂ）は、図１５（ａ）における卵ケース７を全部引き出したときの第１測距センサ部１１ａの出力信号波形を示している。卵トレイ８ｂにおいて、１番目となる卵固定孔９ｂの前方部分の位置をｂ０とし、複数の卵固定孔９ｂの後方部分の位置を前面側から順番にｂ１〜ｂ５とする。卵トレイ８ｂは３つの中間レベルを取っており、突起無しのレベルを「Ｂ０」、第１突起１８有りのレベルを「Ｂ１」、及び第２突起有りのレベルを「Ｂ２」と表すことにする。第１測距センサ部１１ａの出力信号波形は、卵収納部６から卵ケース７を全部引き出してから収納位置に戻すまでを時系列的に見ると、Ｂ０、高、Ｂ０、高、Ｂ１、高、Ｂ０、低、Ｂ１、低、Ｂ２、低、Ｂ１、高、Ｂ０、高、Ｂ１、高、Ｂ０、高、Ｂ０となる。さらに、図１５（ｃ）は、図１５（ａ）における卵ケース７を全部引き出したときの第２測距センサ部１１ｂの出力信号波形を示している。第２測距センサ部１１ｂの出力信号波形は、卵収納部６から卵ケース７を全部引き出してから収納位置に戻すまでを時系列的に見ると、Ｂ０、高、Ｂ２、高、Ｂ０、高、Ｂ１、低、Ｂ１、低、Ｂ０、低、Ｂ１、高、Ｂ１、高、Ｂ０、高、Ｂ２、高、Ｂ０となる。尚、図１５（ｂ）及び図１５（ｃ）では、中間レベルに対応するｂ０〜ｂ５の箇所を括弧付きで示している。
【００９３】
図１６は、図１５における卵ケース７を引き出して小刻みに往復させた事例を示す図である。図１６（ａ）は、第１測距センサ部１１ａ及び第２測距センサ部１１ｂで測定した箇所を矢印で表している。つまり、卵トレイ８ｂをａ４まで引き出し、ａ３まで戻し、再度ａ４まで引き出した後、収納位置に戻している。尚、前面側から見て４番目に位置する卵を点線で表している。これは、卵トレイ８ｂを引き出す前は卵が配置されていなかったが、卵トレイ８ｂを収納位置に戻すときには卵が追加されて配置されていることを示している。また、図１６（ｂ）は、図１６（ａ）における第１測距センサ部１１ａの出力信号波形を示している。第１測距センサ部１１ａの出力信号波形は、卵収納部６から卵ケース７を途中まで引き出して収納位置に戻すまでを時系列的に見ると、Ｂ０、高、Ｂ０、高、Ｂ１、高、Ｂ０、低、Ｂ１、高、Ｂ０、高、Ｂ１、高、Ｂ０、高、Ｂ１、高、Ｂ０、高となる。さらに、図１６（ｃ）は、図１６（ａ）における第２測距センサ部１１ｂの出力信号波形を示している。第２測距センサ部１１ｂの出力信号波形は、卵収納部６から卵ケース７を途中まで引き出して収納位置に戻すまでを時系列的に見ると、Ｂ０、高、Ｂ２、高、Ｂ０、高、Ｂ１、低、Ｂ１、高、Ｂ１、高、Ｂ１、高、Ｂ１、高、Ｂ０、高、Ｂ２、高、Ｂ０となる。尚、図１６（ｂ）及び図１６（ｃ）では、中間レベルに対応するｂ０〜ｂ５の箇所を括弧付きで示している。
【００９４】
次に、Ｓ２２ステップである、卵ケース７が最後まで引き出されたか否かの確認について説明する。卵トレイ８ｂの一番奥の卵固定孔９ｂの後方のレベルは（第１列，第２列）＝（Ｂ２，Ｂ０）になるので、（第１列，第２列）＝（Ｂ２，Ｂ０）が検出された場合、卵ケース７は最後まで引き出されて戻されたことになる。卵トレイ８ｂが途中までしか引き出されていない場合は、第１列及び第２列のそれぞれについてＢ０からＢ２のどのレベルが測定されているかによって、どこまで引き出したかを認識できる。
【００９５】
図１５（ｂ）及び図１５（ｃ）では、（第１列，第２列）＝（Ｂ２，Ｂ０）を測定している。制御部１２において、卵収納部６から卵ケース７が全部引き出されていることが認識され、Ｓ３ステップに移行する。
【００９６】
図１６（ｂ）及び図１６（ｃ）では、（第１列，第２列）＝（Ｂ２，Ｂ０）を測定していない。制御部１２において、測定された中で最も後側の位置となる中間レベルがｂ４の配置パターンの（第１列，第２列）＝（Ｂ１，Ｂ１）であり、卵収納部６から卵ケース７が卵固定孔９ｂの４個分まで引き出されていることが認識され、Ｓ４ステップに移行する。
【００９７】
さらに、Ｓ３ステップである、卵ケース７が全部引き出された場合の、卵の在庫情報を導き出すことについて説明する。一つの列の１〜５番目の卵固定孔９ｂの在庫状況は、それぞれ、ｂ０とｂ１の配置パターンの間、ｂ１とｂ２の配置パターンの間、ｂ２とｂ３の配置パターンの間、ｂ３とｂ４の配置パターンの間、ｂ４とｂ５の配置パターンの間が高レベル又は低レベルであるかによって認識できる。
【００９８】
図１５（ｂ）及び図１５（ｃ）では、第１測距センサ部１１ａ及び第２測距センサ部１１ｂの出力信号波形において、時系列的に見た後半部分の情報が在庫情報となる。第１測距センサ部１１ａの出力信号波形の後半部分の、ｂ０の配置パターン（Ｂ０，Ｂ０）とｂ１の配置パターン（Ｂ０，Ｂ２）の間、ｂ１の配置パターン（Ｂ０，Ｂ２）とｂ２の配置パターン（Ｂ１，Ｂ０）の間、ｂ２の配置パターン（Ｂ１，Ｂ０）とｂ３の配置パターン（Ｂ０，Ｂ１）の間、ｂ３の配置パターン（Ｂ０，Ｂ１）とｂ４の配置パターン（Ｂ１，Ｂ１）の間、ｂ４の配置パターン（Ｂ１，Ｂ１）とｂ５の配置パターン（Ｂ２，Ｂ０）の間を見ると、高、高、高、高、低となっている。第２測距センサ部１１ｂも同様の結果が得られる。そして、第１測距センサ部１１ａと第２測距センサ部１１ｂの出力信号波形の高レベルを足し合わせると８個となり、卵の在庫数は８個であることが導出される。また、第１列及び第２列の１〜５番目の在庫状況は、それぞれ、出力信号波形の後半部分の、ｂ０とｂ１の配置パターンの間、ｂ１とｂ２の配置パターンの間、ｂ２とｂ３の配置パターンの間、ｂ３とｂ４の配置パターンの間、ｂ４とｂ５の配置パターンの間の情報である。従って、在庫情報は、第１列及び第２列共に○、○、○、○、×であることが導出される。
【００９９】
さらに、Ｓ４ステップである、卵ケース７を途中まで引き出して戻した場合の、メモリ情報を追加して卵の在庫情報を導き出すことについて説明する。この場合、各レベル間のの測定結果が複数測定されるが、最後に測定された結果が在庫情報となる。
【０１００】
図１６（ｂ）及び図１６（ｃ）では、第１測距センサ部１１ａの出力信号波形において、第１測距センサ部１１ａの測定結果として、ｂ０とｂ１の配置パターンの間、ｂ１とｂ２の配置パターンの間、ｂ２とｂ３の配置パターンの間、ｂ３とｂ４の配置パターンの間を見ると、高、高、高、高となっている。尚、ｂ３とｂ４の配置パターンの間の測定結果が４回測定されるが、時系列に見て一番遅い測定結果を在庫情報として抽出する。ｂ０とｂ１の配置パターンの間、ｂ１とｂ２の配置パターンの間、ｂ２とｂ３の配置パターンの間も同様に、時系列に見て一番遅い測定結果を在庫情報として抽出している。また、前回の導出結果の５番目は低である。第２測距センサ部１１ｂの出力信号波形においても同様の結果が得られる。さらに、第２測距センサ部１１ｂによる前回の導出結果の５番目は低である。そして、高レベルを足し合わせると８個となり、卵の在庫数は８個であることが導出される。さらに、第１列及び第２列の１〜５番目の在庫状況は、それぞれ、ｂ０とｂ１の配置パターンの間、ｂ１とｂ２の配置パターンの間、ｂ２とｂ３の配置パターンの間、ｂ３とｂ４の配置パターンの間の情報、並びに前回の導出結果の５番目の情報である。従って、○、○、○、○、×であることが導出される。
【０１０１】
尚、本実施形態では、卵トレイ８ｂ上において、複数の卵固定孔９ｂが第１列及び第２列の２列から構成されているが、それに限定されない。３列以上から構成されても良い。
【０１０２】
また、第１突起１８及び第２突起１９は、卵トレイ８ｂと同じ部材で形成しても良いし、別部材で形成しても良い。
【０１０３】
さらに、第１突起１８及び第２突起１９は、高さが異なることによって異なる種類の突起としているが、それに限定されない。例えば、第１突起を高さが一定である四角柱の突起、第２突起を高さが異なる四角錐の突起としても良い。
【０１０４】
さらに、本実施形態では、２種類の突起を用いているが、それに限定されない。３種類以上の突起を用いても良い。
【産業上の利用可能性】
【０１０５】
本発明に係る冷蔵庫は、卵収納部を備えた冷蔵庫全般に広く適用することができる。
【符号の説明】
【０１０６】
１  冷蔵庫
２  冷蔵室
３  冷凍室
４  野菜室
５  製氷室
６  卵収納部
７  卵ケース
８  卵トレイ
８ａ  卵トレイ
８ｂ  卵トレイ
９  卵固定孔
９ａ  卵固定孔
９ｂ  卵固定孔
１０  表示部
１１  センサユニット
１１ａ  第１測距センサ部
１１ｂ  第２測距センサ部
１１ｃ  第３測距センサ部
１２  制御部
１３ａ  第１測距センサ
１３ｂ  第２測距センサ
１３ｃ  第３測距センサ
１４ａ  第１発光部
１４ｂ  第２発光部
１４ｃ  第３発光部
１４ｄ  第４発光部
１５ａ  第１受光部
１５ｂ  第２受光部
１５ｃ  第３受光部
１６ａ  第１鏡
１６ｂ  第２鏡
１６ｃ  第３鏡
１７ａ  第１ケース
１７ｂ  第２ケース
１７ｃ  第３ケース
１８  第１突起
１９  第２突起
【図１】
2014219129.tif 000003
【図２】
2014219129.tif 000004
【図３】
2014219129.tif 000005
【図４】
2014219129.tif 000006
【図５】
2014219129.tif 000007
【図６】
2014219129.tif 000008
【図７】
2014219129.tif 000009
【図８】
2014219129.tif 000010
【図９】
2014219129.tif 000011
【図１０】
2014219129.tif 000012
【図１１】
2014219129.tif 000013
【図１２】
2014219129.tif 000014
【図１３】
2014219129.tif 000015
【図１４】
2014219129.tif 000016
【図１５】
2014219129.tif 000017
【図１６】
2014219129.tif 000018
【図１７】
2014219129.tif 000019